(57)【要約】【課題】  垂直スクロールと水平スクロールとを同時に行うことができる有機ＥＬパネル駆動回路、及びこの駆動回路を利用した画面保護方法を提供すること。【解決手段】  有機ＥＬパネル駆動回路は、イメージデータを格納するメモリと、メモリから送信された第１ラインデータをラッチする第１ディスプレイラッチと、第２ラインデータをラッチして有機ＥＬパネルに出力する第２ディスプレイラッチと、第１水平アドレスをデコードして、前記第１ディスプレイラッチにラッチされたデータのうち、選択された１つのピクセルデータを送信する第１デコーダ段と、第２水平アドレスをデコードして第１デコーダド手段から送信されたピクセルデータを第２ディスプレイラッチの特定位置に送信する第２デコーダと、ピクセルデータの送信を防止するためのフローティング信号、及びピクセルデータを送信するためのピクセルアドレス信号を含む前記第１水平アドレス、並びに前記第２水平アドレスを出力する制御部とを備えた。【選択図】図３
2005321760.tif 000002
【特許請求の範囲】
【請求項１】
イメージデータを表示する有機ＥＬ（ＯＬＥＤ）パネルと、
前記イメージデータを前記有機ＥＬパネルに出力し、かつ前記有機ＥＬパネルの耐久性を高めるためにメモリアクセスを行うことなく画面保護動作を行う有機ＥＬパネル駆動回路とを備えたことを特徴とする有機ＥＬディスプレイ装置。
【請求項２】
前記有機ＥＬパネル駆動回路は、
複数のラインデータからなる前記イメージデータを格納するメモリと、
前記メモリから送信された第１ラインデータをラッチする第１ディスプレイラッチと、
第２ラインデータをラッチして、前記有機ＥＬパネルに出力する第２ディスプレイラッチと、
第１水平アドレスをデコードして、前記第１ディスプレイラッチにラッチされた第１ラインデータのうち、前記第１水平アドレスに応じて選択された１つのピクセルデータを送信する第１デコード手段と、
第２水平アドレスをデコードして、前記第１デコード手段から送信された各ピクセルデータを前記第２ディスプレイラッチの特定位置に送信する第２デコード手段と、
前記ピクセルデータの送信を防止するためのフローティング信号と、前記ピクセルデータを送信するためのピクセルアドレス信号とを含む前記第１水平アドレスと、前記第２水平アドレスとを出力する制御部と、を備えることを特徴とする請求項１に記載の有機ＥＬディスプレイ装置。
【請求項３】
前記制御部が、
前記第１及び第２ディスプレイラッチのイネーブルを制御することを特徴とする請求項２に記載の有機ＥＬディスプレイ装置。
【請求項４】
前記有機ＥＬパネル駆動回路は、
前記ピクセルデータを、前記第１デコード手段から前記第２デコード手段に送信するためのデータバスをさらに備えることを特徴とする請求項２に記載の有機ＥＬディスプレイ装置。
【請求項５】
前記制御部が、
接地電圧を出力するためのリセット信号と、前記ピクセルデータが送信される場合、該ピクセルデータを送信するためのデータ信号、前記ピクセルデータが送信されない場合、該ピクセルデータを置き換えるためのデータ信号とを含む制御信号を出力することを特徴とする請求項２に記載の有機ＥＬディスプレイ装置。
【請求項６】
(ａ)  メモリから送信されたイメージデータを出力するステップと、
(ｂ)  有機ＥＬパネルの耐久性を高めるために、メモリアクセスを行うことなく画面保護動作を行うためのイメージデータを出力するステップと、
(ｃ)  前記(ａ)及び(ｂ)ステップのいずれか１つのステップを介して送信されたイメージデータを表示するステップと、を含むことを特徴とする有機ＥＬディスプレイ装置の駆動方法。
【請求項７】
前記(ａ)ステップが、
(ａ１)  前記メモリから送信された第１ラインデータをラッチするステップと、
(ａ２)  前記第１ラインデータのピクセルデータを送信するために、第１水平アドレスをデコードするステップと、
(ａ３)  送信された前記ピクセルデータを第２ディスプレイラッチの所定の位置にイメージデータとして送信するために、第２水平アドレスをデコードするステップと、を含むことを特徴とする請求項６に記載の有機ＥＬディスプレイ装置の駆動方法。
【請求項８】
前記(ｂ)ステップが、
(ｂ１)  第１ディスプレイラッチにラッチされている第１ラインデータの各ピクセルデータを送信するために、第１水平アドレスをデコードするステップと、
(ｂ２)  前記第１ラインデータの各ピクセルデータを、制御部から出力される制御信号に応じて第２ディスプレイラッチに送信するステップと、
(ｂ３)  前記各々送信されたピクセルデータを、第２ディスプレイラッチの所定の位置に送信するために、第２水平アドレスをデコードするステップと、を含むことを特徴とする請求項６に記載の有機ＥＬディスプレイ装置の駆動方法。
【請求項９】
前記第１水平アドレスが、フローティング信号とピクセルアドレス信号とを含むことを特徴とする請求項８に記載の有機ＥＬパネル装置の駆動方法。
【請求項１０】
前記フローティング信号が、前記ピクセルデータの送信を防ぐための信号であることを特徴とする請求項９に記載の有機ＥＬパネル装置の駆動方法。
【請求項１１】
前記ピクセルアドレス信号は、前記ピクセルデータの送信のためのものであることを特徴とする請求項９に記載の有機ＥＬディスプレイ装置の駆動方法。
【請求項１２】
前記制御信号は、リセット信号とデータ信号とを含むことを特徴とする請求項８に記載の有機ＥＬディスプレイ装置の駆動方法。
【請求項１３】
前記リセット信号は、接地電圧を出力するための信号であることを特徴とする請求項１２に記載の有機ＥＬディスプレイ装置の駆動方法。
【請求項１４】
前記データ信号は、送信される前記ピクセルデータがある場合には、該ピクセルデータを送信するための信号であることを特徴とする請求項１２に記載の有機ＥＬディスプレイ装置の駆動方法。
【請求項１５】
前記データ信号は、送信される前記ピクセルデータがない場合には、該ピクセルデータを置き換えるための信号であることを特徴とする請求項１２に記載の有機ＥＬディスプレイ装置の駆動方法。
【発明の詳細な説明】
【技術分野】
【０００１】
本発明は、有機ＥＬパネル駆動回路に関し、特に、その駆動回路を利用して有機ＥＬパネル上に効率的に垂直と水平スクロールを行うことにより有機ＥＬパネルの耐久性を高めることができる画面保護方法に関する。
【背景技術】
【０００２】
一般的に、フラットパネルディスプレイ(ＦＰＤ：Flat Panel Display)は、用いる物質により、無機物を使用する素子と、有機物を使用する素子とに区分される。無機物を使用する素子には、蛍光体からのフォトルミネッセンス(Photo Luminescence)を利用するプラズマ表示パネル(ＰＤＰ：Plasma Display Panel）、及び陰極発光(Cathode Luminescence)を利用する電界放出ディスプレイ(ＦＥＤ：Field Emission Display)などがあり、有機物を使用する素子には、多様な分野で広く用いられている液晶ディスプレイ(ＬＣＤ：Liquid Crystal Display)、及び有機ＥＬディスプレイ（ＯＬＥＤディスプレイ：Organic Light Emitting Diode Display）などがある。
【０００３】
上記の有機ＥＬディスプレイは、現在広く商用化されているＬＣＤに比べて、約３０,０００倍以上の速い応答速度を有しており、また自体的に発光して視野角が広く、高い輝度を出すことができるという長所があって次世代の表示素子として脚光を浴びている。
【０００４】
図１は、従来の技術に係る有機ＥＬディスプレイの構成を示すブロック図である。
【０００５】
図１に示されているように、従来の技術による有機ＥＬディスプレイは、有機ＥＬパネル駆動回路１００と、マトリックス形態の複数の単位素子を有する有機ＥＬパネル(ＯＬＥＤ  ＰＡＮＥＬ)１１０とを備えている。また、有機ＥＬパネル駆動回路１００は、有機ＥＬパネル１１０に出力するデータを格納するメモリ１２０と、制御部１３０と、ディスプレイラッチ１４０とをさらに備えている。制御部１３０からラインアドレスｌｉｎｅ＿ａｄｄｒをメモリ１２０に出力すると、メモリ１２０は、それに対応する１行分の第１ディスプレイデータＤＳＰ＿ＤＡＴＡ＿１をパネル１１０に出力する。その後、メモリ１２０から送信された第１ディスプレイデータＤＳＰ＿ＤＡＴＡ＿１は、制御部１３０から出力される共通アドレスｃｍｍ＿ａｄｄｒに対応する行の各単位素子に第２ディスプレイデータＤＳＰ＿ＤＡＴＡ＿２として出力される。ここで共通アドレスは、パネル上の行アドレスを示し、ラインアドレスはメモリ上の行アドレスを示す。
【０００６】
また、通常の有機ＥＬ装置では、第１ディスプレイデータＤＳＰ＿ＤＡＴＡ＿１が有機ＥＬパネル１１０に出力される際、ラインアドレスｌｉｎｅ＿ａｄｄｒに対応する第１ディスプレイデータＤＳＰ＿ＤＡＴＡ＿１のすべてがまず１つのディスプレイラッチにラッチされ、その後に、一斉にパネル１１０に出力されることが一般的である。このため、有機ＥＬパネル駆動回路１００はさらに、１ラインのデータをラッチするためのディスプレイラッチ１４０を備えている。
【０００７】
図２Ａと図２Ｂは、従来の有機ＥＬパネル駆動回路を利用した、有機ＥＬパネルの耐久性を高めるための垂直スクロールと水平スクロールの動作を示すブロック図である。
【０００８】
図２Ａに示しているように、画面保護（Screen Saving）動作として、従来の技術による有機ＥＬパネル駆動回路１００が有機ＥＬパネル１１０（以降、画面と呼ぶ）に表示された画像を垂直方向にスクロールするためには、ラインアドレスｌｉｎｅ＿ａｄｄｒのスタートアドレスＳｔａｒｔ＿ａｄｄｒをフレーム毎に変更する必要がある。例えば、画面保護動作において、第１ディスプレイデータＤＳＰ＿ＤＡＴＡ＿１を使用するとき、ラインアドレスｌｉｎｅ＿ａｄｄｒのスタートアドレスＳｔａｒｔ＿ａｄｄｒが、００Ｈから０１Ｈへ、０１Ｈから０２Ｈへなどと変更されて、パネルに出力された共通アドレスｃｍｍ＿ａｄｄｒとのずれが生じると、画面があたかも下から上へとスクロールされているように見える。
【０００９】
画面を水平方向にスクロールし、又は垂直と水平の両方向に同時スクロールするためには、図２Ｂに示すように、ラインアドレスｌｉｎｅ＿ａｄｄｒによって出力された第１ディスプレイデータＤＳＰ＿ＤＡＴＡ＿１をピクセル単位のデータに分割して、水平スクロールさせる方向にデータ全体を１ピクセルずつ移動させてから、送信する必要がある。
【００１０】
しかし、これを具現する機能ブロックには相当大きな面積を必要とし(データ移動のための配線の配置などにより)、且つ有機ＥＬパネル駆動回路１００の特性上、水平に長い経路をたどってデータを送信することは極めて困難である。
【００１１】
また、有機ＥＬパネルの場合、特定の画素（ピクセル）が同じ明るさで持続的に発光すると、特定画素の寿命が短くなるというエージング（aging）現象がある。このエージング現象を防ぐためにデータが表示されない間には画面の表示を垂直または／及び水平スクロールして、有機ＥＬパネルの全ての画素が均一に用いられるようにしている。
【００１２】
しかしながら、従来の技術による有機ＥＬ駆動回路１００は、垂直スクロール動作の遂行は可能であったが、各フレームが表示される度に水平スクロール、又は垂直水平同時スクロールを行うことが困難であるという問題があった。
【発明の開示】
【発明が解決しようとする課題】
【００１３】
本発明は、上述した従来の技術の問題点を解決するためになされたものであって、垂直スクロール及び水平スクロールを同時に行うことができる有機ＥＬパネル駆動回路を提供することを目的とする。
【００１４】
また、本発明は、提供する有機ＥＬパネル駆動回路を利用して有機ＥＬパネルの耐久性を高めることができる画面保護方法を提供することを目的とする。
【課題を解決するための手段】
【００１５】
上記の課題を解決するために、本発明に係る有機ＥＬディスプレイ装置は、イメージデータを表示する有機ＥＬパネルと、イメージデータを前記有機ＥＬパネルに出力し、かつ前記有機ＥＬパネルの耐久性を高めるために、メモリアクセスを行うことなく画面保護動作を行う有機ＥＬパネル駆動回路とを備えたことを特徴とする。
【００１６】
また、本発明に係る有機ＥＬディスプレイ装置の駆動方法は、(ａ)メモリから送信されたイメージデータを出力するステップと、(ｂ)有機ＥＬパネルの耐久性を高めるために、メモリアクセスを行うことなく画面保護動作を行うためのイメージデータを出力するステップと、(ｃ)前記(ａ)及び(ｂ)ステップのいずれか１つのステップを介して送信されたイメージデータを表示するステップとを含むことを特徴とする。
【００１７】
本発明に係る有機ＥＬパネル駆動回路は、有機ＥＬディスプレイ装置の駆動時、もっとも問題となるパネルのエージング現象を緩和するために、メモリをアクセスせず、パネルの画面を持続的に変化させることができる画面保護機能を具現するようにした。これにより、ディスプレイされる画面を垂直と水平方向に独立的に、又は同時にスクロールでき、スクロールされている間、他の動作のためのメモリリード/ライトアクセスが全て可能となった。また、この回路を利用して派生する多くの画面保護機能を具現化することができるという長所がある。
【発明の効果】
【００１８】
有機ＥＬパネルの商用化のためには、パネルのエージング現象を防ぐことが最も重要な問題の１つとなっているが、有機ＥＬパネル駆動回路でこの問題を解決する最も良い方法は画面保護機能が追加された駆動回路を採用することである。
【００１９】
本発明に係る有機ＥＬパネル駆動回路は、ＭＣＵ（Micro Controller Unit）などを備えなくても画面保護機能を具現することができるようにしたので、不必要なトラフィックや、メモリの更新回数を低減させることができるというメリットがあり、また消費電力面でも多くの長所がある。
【００２０】
また、本発明に係る有機ＥＬパネル駆動回路は、メモリに直接的にデータをアクセスしなくても、実際に表示されるピクセルの数を連続的に増減して画面のイメージに変化を与えるフェードイン/アウト機能及びブロック移動機能を具現化できるので、多様な画面保護機能を提供することができる。なお、この画面保護機能はメモリデータを利用しながらもメモリアクセスしないため、消費電力を大幅に低減することができる。
【発明を実施するための最良の形態】
【００２１】
以下、本発明の最も好ましい実施の形態を、添付する図面を参照しながら詳細に説明する。
【００２２】
図３は、本発明の好ましい実施の形態に係る有機ＥＬディスプレイ装置の構成を示すブロック図である。
【００２３】
図３に示されているように、本実施の形態に係る有機ＥＬディスプレイ装置は、有機ＥＬパネル３１０と、有機ＥＬパネル駆動回路３００とを備えている。
【００２４】
また、水平スクロール、垂直スクロール、又は水平垂直同時スクロールを行うために、有機ＥＬパネル駆動回路３００はさらに、有機ＥＬパネル３１０に表示される第１ラインデータＬＩＮＥ＿ＤＡＴＡ＿１を格納するためのメモリ３２０と、メモリ３２０から送信された第１ラインデータＬＩＮＥ＿ＤＡＴＡ＿１をラッチするための第１ディスプレイラッチ３４１と、順次に送信される第１ラインデータＬＩＮＥ＿ＤＡＴＡ＿１をラッチして、有機ＥＬパネル３１０に出力するための第２ディスプレイラッチ３４２とを備える。
【００２５】
また、有機ＥＬパネル駆動回路３００はさらに、第１水平アドレスｈｒｚｎ＿ａｄｄｒ＿１をデコードして、第１ディスプレイラッチ３４１にラッチされた第１ラインデータＬＩＮＥ＿ＤＡＴＡ＿１のうち、第１水平アドレスｈｒｚｎ＿ａｄｄｒ＿１に応じて選択された１つのピクセルデータを送信するための第１デコーダ３５１と、第２水平アドレスｈｒｚｎ＿ａｄｄｒ＿２をデコードして、第１デコーダ３５１から送信されたピクセルデータを第２水平アドレスｈｒｚｎ＿ａｄｄｒ＿２に応じて特定された第２ディスプレイラッチ３４２の特定位置に送信するための第２デコーダ３５２と、第１デコーダ３５１から出力されるデータを第２デコーダ３５２に送信するためのデータバス３６０＿Ａと、制御部３３０＿Ａとを備える。
【００２６】
制御部３３０＿Ａは、第１水平アドレスｈｒｚｎ＿ａｄｄｒ＿１と第２水平アドレスｈｒｚｎ＿ａｄｄｒ＿２とをそれぞれ第１デコーダ３５１と第２デコーダ３５２に出力し、共通アドレスｃｍｍ＿ａｄｄｒ＿２を有機ＥＬパネル３１０に出力し、ラインアドレスｌｉｎｅ＿ａｄｄｒ＿２をメモリ３２０に出力し、さらに第１と第２イネーブル信号ＤＳＰＬ＿ＥＮ＿１とＤＳＰＬ＿ＥＮ＿２をそれぞれ第１及び第２ディスプレイラッチ３４１、３４２に出力してラッチのイネーブルを制御し、データバスが新しいデータを出力するように新しいデータイネーブル信号ＮＤＡＴＡ＿ＥＮをデータバス３６０＿Ａに出力する。
【００２７】
即ち、本実施の形態に係る有機ＥＬパネル駆動回路３００は、図３に示されているように、２段構造の２つのディスプレイラッチ３４１、３４２及び２つのアドレス用デコーダ３５１、３５２を利用することにより、水平、垂直、又は水平垂直同時スクロール機能を具現化したものである。
【００２８】
まず、ラインアドレスｌｉｎｅ＿ａｄｄｒ＿２によって出力された第１ラインデータＬＩＮＥ＿ＤＡＴＡ＿１は、第１ディスプレイラッチ３４１に格納される。次いで、第１デコーダ３５１が、第１ディスプレイラッチ３４１にラッチされた第１ラインデータＬＩＮＥ＿ＤＡＴＡ＿１のうち、制御部３３０＿Ａから出力される第１水平アドレスｈｒｚｎ＿ａｄｄｒ＿１に応じて選択された１つのデータ、すなわち、１ピクセルのデータをデータバス３６０＿Ａに出力する。
【００２９】
これと同時に、第２水平アドレスｈｒｚｎ＿ａｄｄｒ＿２が制御部３３０＿Ａから出力され、第２デコーダ３５２に入力されて、データバス３６０から出力されるデータが第２ディスプレイラッチ３４２のどの位置にライトされるかを決定する。
【００３０】
上記のプロセスを通して、最後に、第１ディスプレイラッチ３４１から1つずつ出力されるピクセルデータの全てが、第１デコーダ３５１及び第２デコーダ３５２によって第１水平アドレスｈｒｚｎ＿ａｄｄｒ＿１及び第２水平アドレスｈｒｚｎ＿ａｄｄｒ＿２をデコードして選択された経路を通って第２ディスプレイラッチ３４２にラッチされることになる。
【００３１】
したがって、上述したように、第１デコーダ３５１は、第１水平アドレスｈｒｚｎ＿ａｄｄｒ＿１を受け取ってデコードし、第１ディスプレイラッチ３４１にラッチされた第１ラインデータＬＩＮＥ＿ＤＡＴＡ＿１のうち、どのデータを出力させるかを決める役割をし、第２デコーダ３５２は、第２水平アドレスｈｒｚｎ＿ａｄｄｒ＿２を受け取ってデコードし、第１デコーダ３５１により選択されて送信されるデータを第２ディスプレイラッチ３４２のどの位置にラッチさせるかを決める役割をするものである。また、データバス３６０＿Ａは、第１デコーダ３５１から第２デコーダ３５２にデータが送信される経路を提供する。
【００３２】
第２ディスプレイラッチ３４２に第２ラインデータＬＩＮＥ＿ＤＡＴＡ＿２が全てラッチされれば、有機ＥＬパネル３１０に出力される。この際、有機ＥＬパネル３１０には共通アドレスｃｍｍ＿ａｄｄｒ＿２が入力されて、第２ディスプレイラッチ３４２から出力される第２ラインデータＬＩＮＥ＿ＤＡＴＡ＿２が表示されるパネル上のライン（行アドレス）が決められる。
【００３３】
本発明に係る有機ＥＬディスプレイ装置では、ピクセルデータを左方向に水平スクロールさせるために、第１ディスプレイラッチ３４１から第２ディスプレイラッチ３４２にデータを送信する時、第１ディスプレイラッチ３４１の最も左側にラッチされたデータは、第２ディスプレイラッチ３４２の最も右側にラッチされ、そして第１ディスプレイラッチ３４１にラッチされた残りのデータは、順に左に移動されてから１つずつ第２ディスプレイラッチ３４２にラッチされる。このように水平方向にスクロールされたデータを有機ＥＬパネル３１０に出力させれば、左方向への水平スクロールが具現化される。
【００３４】
本実施の形態に係る有機ＥＬパネル駆動回路３００は、２段構造の２つのディスプレイラッチ３４１、３４２及び２つのデコーダ３５１、３５２を備えたため、水平スクロール、垂直スクロール、及び水平垂直同時スクロールを容易に行うことができる。
【００３５】
図４は、図３に示した有機ＥＬパネル駆動回路３００の動作を示すタイミングチャートであり、図５は、図４に示した駆動期間Ｄｒｖ＿Ｔをさらに詳細に示すタイミングチャートである。特に、図４は、垂直スクロールの進行を示し、図５は、水平スクロールの進行を示している。
【００３６】
図４に示しているように、有機ＥＬパネル３１０にデータを出力するための内部動作は、大きくプリチャージ期間Ｐｃｈｇ＿Ｔ、駆動期間Ｄｒｖ＿Ｔ、及びディスチャージ期間Ｄｃｈｇ＿Ｔの３段階に分けられる。有機ＥＬパネル３１０に第２ラインデータＬＩＮＥ＿ＤＡＴＡ＿２を上記したように出力するためには、駆動期間Ｄｒｖ＿Ｔ中に、第２ディスプレイラッチ３４２にラッチされているデータを次にディスプレイされる第２ラインデータＬＩＮＥ＿ＤＡＴＡ＿２に更新する必要がある。また、ディスプレイラッチもこれに適した構造に設計される。さらに、駆動期間Ｄｒｖ＿Ｔ中の動作が、有機ＥＬ駆動動作の中、最も大きな部分を占めており、ディスプレイ用内部オシレ−タの低い周波数を使用してもデータをスクロールすることができるため、駆動期間Ｄｒｖ＿Ｔを利用すれば動作上の余裕が得られる。
【００３７】
まず、第１ラインデータＬＩＮＥ＿ＤＡＴＡ＿１がメモリ３２０から第１ディスプレイラッチ３４１にラッチされ、そして、第１デコーダ３５１、第２デコーダ３５２及びデータバス３６０＿Ａを経て、第２ディスプレイラッチ３４２に再配置される。この場合、第１ディスプレイラッチ３４１から第２ディスプレイラッチ３４２への第１ラインデータＬＩＮＥ＿ＤＡＴＡ＿１の送信は、上述のように１ピクセルデータずつに行われる。
【００３８】
第１ラインデータＬＩＮＥ＿ＤＡＴＡ＿１のデータの送信が全部終了すれば、次のプリチャージタイム期間Ｐｃｈｇ＿Ｔ中に第２ディスプレイラッチ３４２から最終出力を有機ＥＬパネル３１０に出力する。そうすると、次の駆動期間Ｄｒｖ＿Ｔ中に、第２ディスプレイラッチ３４２に再配置されてラッチされた第２ラインデータＬＩＮＥ＿ＤＡＴＡ＿２が有機ＥＬパネル３１０に出力される。
【００３９】
ここで、垂直スクロールが行われている場合は、第２ディスプレイラッチ３４２に格納される第２ラインデータＬＩＮＥ＿ＤＡＴＡ＿２のラインアドレスｌｉｎｅ＿ａｄｄｒ＿２は、共通アドレスｃｍｍ＿ａｄｄｒ＿２と比較して常に次の値に保たれる。すなわち、共通アドレスｃｍｍ＿ａｄｄｒ＿２が１０Ｈで、それに対応する１行分のピクセルデータがパネル３１０上に表示されているとき、その瞬間に第２ディスプレイラッチ３４２は、次回に共通アドレスｃｍｍ＿ａｄｄｒ＿２となる１１Ｈに関するデータをラッチしている。
【００４０】
また、水平スクロールを垂直スクロールと同時に行う場合、ラインアドレスｌｉｎｅ＿ａｄｄｒ＿２と共通アドレスｃｍｍ＿ａｄｄｒ＿２との差がさらに大きくなる。
【００４１】
即ち、本実施の形態に係る有機ＥＬパネル駆動回路３００は、２つのディスプレイラッチ３４１、３４２を備えているため、水平スクロールのための次のラインアドレスｌｉｎｅ＿ａｄｄｒ＿２を生成するプロセスを追加することにより、フレーム毎に垂直と水平スクロールを同時に行うことが可能となる。
【００４２】
また、水平スクロールの進行方向をも決定することができる。第２ディスプレイラッチ３４２を一定の周期でループ(Ｌｏｏｐ)するカウンタとして構築し、第１ディスプレイラッチ３４１をスタートアドレスを増加または減少するカウンタとして構築すれば、左側または右側にスクロールする動作を具現化できる。
【００４３】
なおスクロールが進行している間は、メモリ３２０に直接データをアクセスしないため、スクロール進行中に、メモリ３２０との衝突が発生することなく、他の動作を実行するためのリード/ライトアクセスを行うことできる。
【００４４】
次いで、図５に示しているように、内部オシレータ周波数でディスプレイラッチを駆動する時、クロックＣＬＫの数をカウントし必要な分だけのラッチイネーブル信号ＬＡＴ＿ＥＮを生成する。このラッチイネーブル信号ＬＡＴ＿ＥＮに同期して、第１水平アドレスｈｒｚｎ＿ａｄｄｒ＿１と第２水平アドレスｈｒｚｎ＿ａｄｄｒ＿２が駆動期間Ｄｒｖ＿Ｔ中に出力される。そして駆動期間Ｄｒｖ＿Ｔ以外のプリチャージ期間Ｐｃｈｇ＿Ｔ及びディスチャージ期間Ｄｃｈｇ＿Ｔには、第１デコーダ３５１及び第２デコーダ３５２が動作せず、第１水平アドレスｈｒｚｎ＿ａｄｄｒ＿１と第２水平アドレスｈｒｚｎ＿ａｄｄｒ＿２はリセット状態に保たれる。
【００４５】
さらに、本発明に係る有機ＥＬパネル駆動回路３００では、２段構造の２つのディスプレイラッチ３４１、３４２及び２つのデコーダ３５１、３５２と、データバス３６０とを備えているため、メモリ３２０にデータを継続アクセスしなくても、有機ＥＬパネル特定のピクセルを過度に使用することを防止して有機ＥＬパネル３１０の耐久性を高める画面保護方法を実施することができる。
【００４６】
ここでは、２つの画面保護方法を提案する。第1の方法は、画面をフェードイン(ｆａｄｅ  ｉｎ)/フェードアウト(ｆａｄｅ  ｏｕｔ)させる方法であり、第２の方法は、画面上の画像が移動している様に見せるブロック移動(ｍｏｖｉｎｇ  ｂｌｏｃｋ)方法である。
【００４７】
図６は、図３に示した有機ＥＬパネル駆動回路を利用した上記第１のフェードイン/アウト画面保護方法を示すブロック図である。すなわち、図６は、本発明の有機ＥＬ駆動回路３００の核心的な構成要素である２段構造のディスプレイラッチ３４１、３４２及びデコーダ３５１、３５２を利用して、画面をフェードイン/フェードアウトさせる方法を示すものである。
【００４８】
まず、図６に示すように、画面に交互に黒い点が表示されるようにするためには(ここで、黒い点とは、有機ＥＬパネル３１０の１ピクセルをオフにした状態を意味する)、制御部３３０＿Ｂから第１デコーダ３５１にフローティング信号ＦＬＯＡＴと、アドレス信号ＡＤＤＲを交互に出力し、第１デコーダ３５１はフローティング信号ＦＬＯＡＴを受信した場合にはフローティングされてデータが出力されなく、アドレス信号を受信した所場合には第１ディスプレイラッチ３４１から送信される、アドレス信号ＡＤＤＲに対応するピクセルデータをデータバス３６０に送信する。
【００４９】
次に、制御部３３０＿Ｂが図６に示すようにデータバス３６０＿Ｂにリセット信号ＲＥＳＥＴとデータ信号ＤＡＴＡを交互に出力し、データバス３６０＿Ｂは、リセット信号ＲＥＳＥＴを受信した場合にはそれに応じて接地電圧を出力し、データ信号ＤＡＴＡを受信した場合には第１デコーダ３５１から送信されるピクセルデータを第２デコーダ３５２に出力する。
【００５０】
次いで、第２デコーダ３５２から送信されるデータは、第２ディスプレイラッチ３４２に出力され、第２ディスプレイラッチ３４２にラッチされたデータは、有機ＥＬパネル３１０に出力されて、図６に示されているように画面に表示される。従って、制御部３３０＿Ｂからデータバス３６０＿Ｂに出力するリセット信号ＲＥＳＥＴとデータ信号ＤＡＴＡの多様な組み合わせに基づいて、画面に表示される内容が変わる。
【００５１】
データバス３６０＿Ｂは、制御部３３０＿Ｂから出力される制御信号に応じて、メモリ３２０に格納されたデータを有機ＥＬパネル３１０に送信する。すなわち、制御部がデータバス３６０＿Ｂにリセット信号ＲＥＳＥＴを送信すれば、それに該当する有機ＥＬパネル３１０上のピクセルがオフになり（画像が消え）、データ信号ＤＡＴＡを送信すれば、メモリ３２０のデータが有機ＥＬパネル３１０に出力される。
【００５２】
これを利用して、フェードイン/アウト機能を実現することができる。フェードアウト機能を具現化するためには、まず有機ＥＬパネル３１０上の１つのピクセルをリセットし、即ちオフにする。そして、その後のフレームにリセットされるピクセルの数を次第に増やせばよい。同様に、メモリ３２０からデータを１つずつ送信することにより有機ＥＬパネル上のオンにされるピクセルの数をフレーム毎に順次に増やせば、フードイン機能を具現化することができる。
【００５３】
さらに、第１デコーダ３５１から出力されるピクセルデータの代わりに制御部３３０＿Ｂから出力されるデータ信号ＤＡＴＡを用いてもよい。データ信号ＤＡＴＡのレベルを調整すれば、本発明に係る有機ＥＬパネル駆動回路３００がより多くの画面保護動作、例えば、フリッカーリング（flickering）効果がある動作を行うことができる。
【００５４】
図７は、図３に示した有機ＥＬパネル駆動回路３００を利用した第２の画面保護方法であるブロック移動方法を説明するブロック図である。
【００５５】
図７に示しているように、このブロック移動方法を実行すれば、画像の所望する部分だけが選択された後、選択された部分のイメージだけが画面に表示される。このイメージが自動にスクロールされ、有機ＥＬパネル３１０の境界に達すると、他の方向にスクロールされ、あたかもビリヤードボール(ｂｉｌｌｉａｒｄ  ｂａｌｌ)のように画面上を移動する。
【００５６】
この機能を具現する方法は、次のような動作ステップからなる。
【００５７】
まず、垂直と水平スクロール機能を可能にした状態で、任意のラインアドレスｌｉｎｅ＿ａｄｄｒ＿２と第１水平アドレスｈｒｚｎ＿ａｄｄｒ＿１とを決める。
【００５８】
次に、決められたラインアドレスｌｉｎｅ＿ａｄｄｒ＿２を増加させたり、あるいは減少させたりして、垂直方向にスクロールさせ、それと同時に第１水平アドレスｈｒｚｎ＿ａｄｄｒ＿１を増加させたり、あるいは減少させたりして、水平方向にもスクロールさせる。
【００５９】
この場合、ラインアドレスｌｉｎｅ＿ａｄｄｒ＿２が増加して、有機ＥＬパネル３１０の境界を指す値になったら、ラインアドレスｌｉｎｅ＿ａｄｄｒ＿２を減少させ、またラインアドレスｌｉｎｅ＿ａｄｄｒ＿２が減小して反対側の境界を指す値になったら、ラインアドレスｌｉｎｅ＿ａｄｄｒ＿２を増加させる。これと同じ主旨で、第１水平アドレスｈｒｚｎ＿ａｄｄｒ＿１をも同時に増減させる。したがって、画面上のある点が斜めに動き、有機ＥＬパネル３１０の境界に達すると、ビリヤードボールのように反射される。
【００６０】
図７の制御部３３０＿Ｂに示されたアドレス値は、図面上段の４つの画面中、最も左側のパネル３１０＿Ａの出力状態を示すものであって、ここでは、第１ラインは、全てリセットされた状態を示し、第２ラインの第２アドレスがデータを有しており、第３ラインもまた全てリセットされた状態を示している。
【００６１】
ここでもブロック移動方法を実施するのにメモリ３２０へのデータアクセスが発生しない。このため、制御部３３０＿Ｂが、第１デコーダ３５１をフローティングさせることによりメモリ３２０から第１デコーダ３５１へのデータ送信を停止して、データバス３６０のデータ配置を制御することができる。即ち、制御部３３０＿Ｂが、データバス３６０の出力データを有する部分を除いた残りの全てのラインを接地電圧と接続させてリセットさせることができる。
【００６２】
次に、データはデータバス３６０＿Ｂから第２デコーダ３５２に送信される。例えば、図７において、有機ＥＬパネル３１０の第２ラインの場合、１つのデータと、残りのリセットされた状態とが出力される。
【００６３】
データを有機ＥＬパネル３１０上の所望の位置に表示するためには、上述したように、ラインアドレスｌｉｎｅ＿ａｄｄｒ＿２と第１水平アドレスｈｒｚｎ＿ａｄｄｒ＿１とを各々減少または増加させればよい。
【００６４】
選択されたイメージだけを表示するためには、ブロック移動の場合、選択されたイメージを指すラインアドレスｌｉｎｅ＿ａｄｄｒ＿２及び第１水平アドレスｈｒｚｎ＿ａｄｄｒ＿１以外のラインアドレスｌｉｎｅ＿ａｄｄｒ＿２と第１水平アドレスｈｒｚｎ＿ａｄｄｒ＿１にはデータを全部リセット状態で送信すればよいのである。
【００６５】
上述した２つの画面保護方法は、メモリ３２０にデータを更新することなく実施可能であるため、動作時に発生する電流を大きく減少させるという利点がある。
【００６６】
以上述べたように、本実施の形態に係る有機ＥＬパネル駆動回路３００は、２つのディスプレイラッチ３４１、３４２と２つのデコーダ３５１、３５２を利用して垂直スクロール、水平スクロール、及び垂直水平同時スクロールを行うことができる。また、２つのディスプレイラッチ３４１、３４２を備えることによって、多様な画面保護動作(水平スクロール、垂直スクロール、垂直水平同時スクロール、フェードイン/フェードアウト、ブロック移動)を、メモリのデータをアクセスすることなく実施することができる。
【００６７】
なお、本発明は、上記の実施の形態に限定されるものではなく、本発明に係る技術的思想から逸脱しない範囲内で様々な変更が可能であり、それらも本発明の技術的範囲に属する。
【図面の簡単な説明】
【００６８】
【図１】従来の技術に係る有機ＥＬディスプレイ装置の構成を示すブロック図である。
【図２Ａ】従来の技術に係る垂直スクロールの動作を示すブロック図である。
【図２Ｂ】従来の技術に係る水平垂直同時スクロールの動作を示すブロック図である。
【図３】本発明の好ましい実施の形態に係る有機ＥＬディスプレイ装置の構成を示すブロック図である。
【図４】図３に示した有機ＥＬパディスプレイ装置の動作を示すタイミングチャートである。
【図５】図４に示した駆動期間Ｄｒｖ＿Ｔをさらに詳細に示すタイミングチャートである。
【図６】図３に示した有機ＥＬパネル駆動回路を利用した第１の画面保護方法を示すブロック図である。
【図７】図３に示した有機ＥＬパネル駆動回路を利用した第２の画面保護方法を示すブロック図である。
【符号の説明】
【００６９】
１００、３００  有機ＥＬパネル駆動回路
１１０、３１０  有機ＥＬパネル
１２０、３２０  メモリ
１３０、３３０＿Ａ、３３０＿Ｂ  制御部
１４０  ディスプレイラッチ
３４１  第１ディスプレイラッチ
３４２  第２ディスプレイラッチ
３５１  第１デコーダ
３５２  第２デコーダ
３６０＿Ａ、３６０＿Ｂ  データバス
【図１】
2005321760.tif 000003
【図２Ａ】
2005321760.tif 000004
【図２Ｂ】
2005321760.tif 000005
【図３】
2005321760.tif 000006
【図４】
2005321760.tif 000007
【図５】
2005321760.tif 000008
【図６】
2005321760.tif 000009
【図７】
2005321760.tif 000010